(57)【要約】  本発明における情報処理システムは、携帯無線装置と、無線認証装置と、を備える。上記無線認証装置は、認証情報要求を送信するとともに、認証情報を受信する第１の無線通信手段と、受信された認証情報に基づいて、携帯無線装置が無線認証装置に対応付けられているか否かを判定する認証処理を実行する認証手段と、を備え、上記携帯無線装置は、認証情報要求を受信するとともに、認証情報を送信する第２の無線通信手段を備え、上記認証手段は、無線認証装置および携帯無線装置のうちの一方の装置が、ある情報を送信した方角である送信方角、または、一方の装置の位置から他方の装置の位置への方角である位置方角と、他方の装置が、一方の装置により送信された、ある情報を受信した方角である受信方角と、が対応付けられている場合に、認証処理を実行するように構成されている。
2013128821.tif 000002
【特許請求の範囲】
【請求項１】
ユーザにより携帯される携帯無線装置と、無線認証装置と、を備える情報処理システムであって、
前記無線認証装置は、
前記携帯無線装置が前記無線認証装置に対応付けられているか否かを判定するための認証情報の要求を表す認証情報要求を送信するとともに、前記認証情報を受信する第１の無線通信手段と、
受信された前記認証情報に基づいて、前記携帯無線装置が前記無線認証装置に対応付けられているか否かを判定する認証処理を実行する認証手段と、を備え、
前記携帯無線装置は、前記認証情報要求を受信するとともに、前記認証情報を送信する第２の無線通信手段を備え、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行するように構成されている、
情報処理システム。
【請求項２】
請求項１記載の情報処理システムであって、
前記送信方角を取得する送信方角取得手段と、
前記受信方角を取得する受信方角取得手段と、
をさらに備え、
前記認証手段は、前記送信方角と、前記受信方角とが対応付けられている場合に、前記認証処理を実行する、
情報処理システム。
【請求項３】
請求項２記載の情報処理システムであって、
前記一方の装置は、前記送信方角取得手段と、水平方向の特定の方向に任意の情報を送信するアンテナとを備える前記携帯無線装置であり、
前記他方の装置は、前記受信方角取得手段を備える前記無線認証装置であり、
前記送信方角取得手段は、前記アンテナにより送信可能な方向ごとの方角を前記送信方角として取得し、
前記第２の無線通信手段は、前記アンテナにより送信可能な方向のそれぞれへ、当該方向に対して取得された前記送信方角を表す送信方角情報を送信し、
前記第１の無線通信手段は、前記送信方角情報を受信し、
前記受信方角取得手段は、前記送信方角情報を受信した方角を前記受信方角として取得する、
情報処理システム。
【請求項４】
請求項３記載の情報処理システムであって、
前記アンテナは、水平方向の特定の一方向に任意の情報を送信可能であり、
前記送信方角取得手段は、前記アンテナにより送信可能な方向の方角を前記送信方角として取得し、
前記第２の無線通信手段は、前記アンテナにより送信可能な前記方向へ、当該方向に対して取得された前記送信方角を表す送信方角情報を送信する、
情報処理システム。
【請求項５】
請求項２記載の情報処理システムであって、
前記一方の装置は、前記送信方角取得手段を備える前記携帯無線装置であり、
前記他方の装置は、前記受信方角取得手段を備える前記無線認証装置であり、
前記送信方角取得手段は、前記第２の無線通信手段により、前記無線認証装置から送信された、ある情報を受信した方角を前記送信方角として取得し、
前記第２の無線通信手段は、取得された前記送信方角を表す送信方角情報を送信し、
前記第１の無線通信手段は、前記送信方角情報を受信し、
前記受信方角取得手段は、前記送信方角情報を受信した方角を前記受信方角として取得する、
情報処理システム。
【請求項６】
請求項２記載の情報処理システムであって、
前記一方の装置は、前記送信方角取得手段と、水平方向の特定の方向に任意の情報を送信するアンテナとを備える前記無線認証装置であり、
前記他方の装置は、前記受信方角取得手段を備える前記携帯無線装置であり、
前記送信方角取得手段は、前記アンテナにより送信可能な方向ごとの方角を前記送信方角として取得し、
前記第１の無線通信手段は、前記アンテナにより送信可能な前記方向のそれぞれへ、当該方向に対して取得された前記送信方角を表す送信方角情報を送信し、
前記第２の無線通信手段は、前記送信方角情報を受信し、
前記受信方角取得手段は、前記送信方角情報を受信した方角を前記受信方角として取得し、
前記第２の無線通信手段は、受信された前記送信方角情報が表す前記送信方角と、取得された前記受信方角とが対応付けられている場合に、前記認証情報を送信する、
情報処理システム。
【請求項７】
請求項２記載の情報処理システムであって、
前記一方の装置は、前記送信方角取得手段を備える前記無線認証装置であり、
前記他方の装置は、前記受信方角取得手段を備える前記携帯無線装置であり、
前記送信方角取得手段は、前記第１の無線通信手段により、前記携帯無線装置から送信された、ある情報を受信した方角を前記送信方角として取得し、
前記第１の無線通信手段は、取得された前記送信方角を表す送信方角情報を送信し、
前記第２の無線通信手段は、前記送信方角情報を受信し、
前記受信方角取得手段は、前記送信方角情報を受信した方角を前記受信方角として取得し、
前記第２の無線通信手段は、受信された前記送信方角情報が表す前記送信方角と、取得された前記受信方角とが対応付けられている場合に、前記認証情報を送信する、
情報処理システム。
【請求項８】
請求項１記載の情報処理システムであって、
前記無線認証装置の位置を表す第１の位置情報を取得する第１の位置情報取得手段と、
前記携帯無線装置の位置を表す第２の位置情報を取得する第２の位置情報取得手段と、
前記受信方角を取得する受信方角取得手段と、
をさらに備え、
前記認証手段は、前記第１の位置情報および前記第２の位置情報に基づいて取得される前記位置方角と、前記受信方角とが対応付けられている場合に、前記認証処理を実行する、
情報処理システム。
【請求項９】
請求項８記載の情報処理システムであって、
前記一方の装置は、前記第２の位置情報取得手段を備える前記携帯無線装置であり、
前記他方の装置は、前記第１の位置情報取得手段と、前記受信方角取得手段とを備える前記無線認証装置であり、
前記第２の無線通信手段は、取得された前記第２の位置情報を送信し、
前記第１の無線通信手段は、前記第２の位置情報を受信し、
前記受信方角取得手段は、前記第２の位置情報を受信した方角を前記受信方角として取得する、
情報処理システム。
【請求項１０】
請求項８記載の情報処理システムであって、
前記一方の装置は、前記第２の位置情報取得手段を備える前記携帯無線装置であり、
前記他方の装置は、前記第１の位置情報取得手段と、前記受信方角取得手段とを備える前記無線認証装置であり、
前記第１の無線通信手段は、取得された前記第１の位置情報を送信し、
前記第２の無線通信手段は、前記第１の位置情報を受信するとともに、受信した前記第１の位置情報、および取得された前記第２の位置情報に基づいて取得される、前記位置方角を表す位置方角情報を送信し、
前記第１の無線通信手段は、前記位置方角情報を受信し、
前記受信方角取得手段は、前記位置方角情報を受信した方角を前記受信方角として取得する、
情報処理システム。
【請求項１１】
請求項８記載の情報処理システムであって、
前記一方の装置は、前記第１の位置情報取得手段を備える前記無線認証装置であり、
前記他方の装置は、前記第２の位置情報取得手段と、前記受信方角取得手段とを備える前記携帯無線装置であり、
前記第１の無線通信手段は、取得された前記第１の位置情報を送信し、
前記第２の無線通信手段は、前記第１の位置情報を受信し、
前記受信方角取得手段は、前記第１の位置情報を受信した方角を前記受信方角として取得し、
前記第２の無線通信手段は、受信された前記第１の位置情報、および取得された前記第２の位置情報に基づいて取得される前記位置方角と、前記受信方角とが対応付けられている場合に、前記認証情報を送信する、
情報処理システム。
【請求項１２】
ユーザにより携帯される携帯無線装置が自身に対応付けられているか否かを判定するための認証情報の要求を表す認証情報要求を送信するとともに、前記認証情報を受信する第１の無線通信手段と、受信された前記認証情報に基づいて、前記携帯無線装置が自身に対応付けられているか否かを判定する認証処理を実行する認証手段とを備える無線認証装置と、前記認証情報要求を受信するとともに、前記認証情報を送信する第２の無線通信手段を備える携帯無線装置と、を備える情報処理システムの情報処理方法であって、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信されたある情報を受信した方角である受信方角と、が対応付けられている場合に、前記認証処理を実行する、
情報処理方法。
【請求項１３】
ユーザが携帯する携帯無線装置が自身に対応付けられているか否かを判定するための認証情報の要求を表す認証情報要求を送信するとともに、前記認証情報を受信する無線通信手段と、
前記携帯無線装置により送信された、ある情報を受信した方角である受信方角を取得する受信方角取得手段と、
受信された前記認証情報に基づいて、前記携帯無線装置が前記無線認証装置に対応付けられているか否かを判定する認証処理を実行する認証手段と、
を備え、
前記無線通信手段は、前記携帯無線装置が、ある情報を送信した方角を表す送信方角情報または、自身の位置から前記携帯無線装置の位置への方角である位置方角を取得するための情報を受信し、
前記受信方角取得手段は、前記携帯無線装置から送信された前記送信方角情報または前記位置方角を取得するための情報を受信した方角を前記受信方角として取得し、
前記認証手段は、前記送信方角情報が表す送信方角または前記位置方角と、前記受信方角と、が対応付けられている場合に、前記認証処理を実行する、
無線認証装置。
【請求項１４】
ユーザが携帯する携帯無線装置が自身に対応付けられているか否かを判定する認証処理を実行する認証装置に適用され、
前記携帯無線装置へ、携帯無線装置が自身に対応付けられているか否かを判定するための認証情報の要求を表す認証情報要求を送信するとともに、前記認証情報、並びに、前記携帯無線装置が、ある情報を送信した方角を表す送信方角情報または自身の位置から前記携帯無線装置の位置への方角である位置方角を取得するための情報を受信し、
前記携帯無線装置から送信された前記送信方角情報または前記位置方角を取得するための情報を受信した方角を前記受信方角として取得し、
前記送信方角情報が表す送信方角または前記位置方角と、前記受信方角と、が対応付けられている場合に、受信された前記認証情報に基づいて、前記携帯無線装置が前記無線認証装置に対応付けられているか否かを判定する認証処理を実行する、
認証装置制御方法。
【請求項１５】
ユーザが携帯する携帯無線装置が自身に対応付けられているか否かを判定する認証処理を実行する認証装置を、
前記携帯無線装置へ、前記携帯無線装置が自身に対応付けられているか否かを判定するための認証情報の要求を表す認証情報要求を送信するとともに、前記認証情報を受信する無線通信手段と、
前記携帯無線装置により送信された、ある情報を受信した方角である受信方角を取得する受信方角取得手段と、
受信された前記認証情報に基づいて、前記携帯無線装置が前記無線認証装置に対応付けられているか否かを判定する認証処理を実行する認証手段と、
として機能させるためのプログラムであって、
前記無線通信手段は、前記携帯無線装置が、ある情報を送信した方角を表す送信方角情報または、自身の位置から前記携帯無線装置の位置への方角である位置方角を取得するための情報を受信し、
前記受信方角取得手段は、前記携帯無線装置から送信された前記送信方角情報または前記位置方角を取得するための情報を受信した方角を前記受信方角として取得し、
前記認証手段は、前記送信方角情報が表す送信方角または前記位置方角と、前記受信方角と、が対応付けられている場合に、前記認証処理を実行する、
プログラム。
【請求項１６】
無線認証装置から、自身が前記無線認証装置に対応付けられているか否かを判定するための認証情報の要求を表す認証情報要求を受信する無線通信手段と、
前記無線認証装置により送信された、ある情報を受信した方角である受信方角を取得する受信方角取得手段と、
を備え、
前記無線通信手段は、前記無線認証装置が、ある情報を送信した方角を表す送信方角情報または、自身から前記無線認証装置への方角である位置方角を取得するための情報を受信し、
前記受信方角取得手段は、前記無線認証装置から送信された前記送信方角情報または前記位置方角を取得するための情報を受信した方角を前記受信方角として取得し、
前記無線通信手段は、前記送信方角情報が表す送信方角または前記位置方角と、前記受信方角と、が対応付けられている場合に、前記認証情報を送信する、
携帯無線装置。
【請求項１７】
ユーザが携帯する携帯無線装置に適用され、
無線認証装置から、前記携帯無線装置が前記無線認証装置に対応付けられているか否かを判定するための認証情報の要求を表す認証情報要求を受信するとともに、前記無線認証装置が、ある情報を送信した方角を表す送信方角情報または、前記携帯無線装置の位置から前記無線認証装置の位置への方角である位置方角を取得するための情報を受信し、
前記無線認証装置から送信された前記送信方角情報または前記位置方角を取得するための情報を受信した方角を前記受信方角として取得し、
前記送信方角情報が表す送信方角または前記位置方角と、前記受信方角と、が対応付けられている場合に、前記認証情報を送信する、
携帯無線装置制御方法。
【請求項１８】
ユーザが携帯する携帯無線装置を、
無線認証装置から、前記携帯無線装置が前記無線認証装置に対応付けられているか否かを判定するための認証情報の要求を表す認証情報要求を受信する無線通信手段と、
前記無線認証装置により送信された、ある情報を受信した方角である受信方角を取得する受信方角取得手段と、
として機能させるためのプログラムであって、
前記無線通信手段は、前記無線認証装置が、ある情報を送信した方角を表す送信方角情報、または、自身の位置から前記無線認証装置の位置への方角である位置方角を取得するための情報を受信し、
前記受信方角取得手段は、前記無線認証装置から送信された前記送信方角情報または前記位置方角を取得するための情報を受信した方角を前記受信方角として取得し、
前記無線通信手段は、前記送信方角情報が表す送信方角または前記位置方角と、前記受信方角と、が対応付けられている場合に、前記認証情報を送信する、
プログラム。
【発明の詳細な説明】
【技術分野】
【０００１】
本発明は、情報処理システムにかかり、特に、ユーザが携帯する携帯無線装置を認証する情報処理システムに関する。
【背景技術】
【０００２】
ユーザが携帯する携帯無線装置が、無線認証装置からの要求に応じて、携帯無線装置と無線認証装置とが対応付けられているか否かを判定させるための認証情報を送信し、無線認証装置が、送信された認証情報に基づいて、携帯無線装置と無線認証装置とが対応付けられているか否かを判定する認証処理を実行する技術が知られている。例えば、上述した技術を自動車のドアロックを解除するシステムに適用し、認証処理が成功した場合に、ドアロックを解除する技術が存在する。【０００３】
上述した技術では、携帯無線装置と無線認証装置との間の距離が十分に短い場合に、携帯無線装置が、無線認証装置から送信された認証情報の要求を表す認証情報要求に応じて自動的に認証情報を送信し、無線認証装置が認証情報に基づく認証処理を実行する。【０００４】
一方、携帯無線装置と無線認証装置との間の距離が十分に長い場合には、携帯無線装置が認証情報要求を受信できないので、携帯無線装置から認証情報が送信されず、認証処理は実行されなかった。
【先行技術文献】
【特許文献】
【０００５】
【特許文献１】特開２００９−９４７６７号公報
【発明の概要】
【発明が解決しようとする課題】
【０００６】
しかしながら、上述した技術では、第三者が携帯無線装置と無線認証装置との間の通信を中継するリレーアタックが行われることで、認証処理が実行されるおそれがあった（例えば特許文献１参照）。図１を参照して、リレーアタックについて説明する。【０００７】
リレーアタックは、図１に示すように、無線認証装置４０１に近接する中継機器４１１Ａと、携帯無線装置４０２に近接する中継機器４１１Ｂを用いて実行される。例えば、中継機器４１１Ａが、携帯無線装置４０２の代わりに、ドアロックの解除を指示するコマンドを無線認証装置４０１へ送信すると、無線認証装置４０１から認証情報要求が送信される。【０００８】
中継機器４１１Ａは、送信された認証情報要求を受信し、中継機器４１１Ｂへ送信する。そして、中継機器４１１Ｂは、受信した認証情報要求を携帯無線装置４０２へ送信する。【０００９】
携帯無線装置４０２は、認証情報要求を受信すると、自動的に認証情報を送信する。中継機器４１１Ｂは、送信された認証情報を受信し、中継機器４１１Ａへ送信する。そして、中継機器４１１Ａは、受信した認証情報を無線認証装置４０１へ送信する。【００１０】
このように、リレーアタックが行われることで、携帯無線装置と無線認証装置とが通信不可能な位置に存在する場合でも、携帯無線装置と無線認証装置との間の通信が可能になる。従って、携帯無線装置と無線認証装置との間の通信が中継されることによって認証処理が実行される、という問題があった。【００１１】
このため、本発明の目的は、上述した課題である、携帯無線装置と無線認証装置との間の通信が中継されることによって認証処理が実行される、という問題を解決することができる情報処理システムを提供させることにある。
【課題を解決するための手段】
【００１２】
上記目的を達成すべく、本発明の一形態である情報処理システムは、
ユーザにより携帯される携帯無線装置と、無線認証装置と、を備える情報処理システムであって、
前記無線認証装置は、
前記携帯無線装置が前記無線認証装置に対応付けられているか否かを判定するための認証情報の要求を表す認証情報要求を送信するとともに、前記認証情報を受信する第１の無線通信手段と、
受信された前記認証情報に基づいて、前記携帯無線装置が前記無線認証装置に対応付けられているか否かを判定する認証処理を実行する認証手段と、を備え、
前記携帯無線装置は、前記認証情報要求を受信するとともに、前記認証情報を送信する第２の無線通信手段を備え、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行するように構成されている、
という構成を取る。【００１３】
また、本発明の他の形態である、情報処理方法は、
ユーザにより携帯される携帯無線装置が自身に対応付けられているか否かを判定するための認証情報の要求を表す認証情報要求を送信するとともに、前記認証情報を受信する第１の無線通信手段と、受信された前記認証情報に基づいて、前記携帯無線装置が自身に対応付けられているか否かを判定する認証処理を実行する認証手段とを備える無線認証装置と、前記認証情報要求を受信するとともに、前記認証情報を送信する第２の無線通信手段を備える携帯無線装置と、を備える情報処理システムの情報処理方法であって、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行する、
という構成を取る。
【発明の効果】
【００１４】
本発明は、以上のように構成されることにより携帯無線装置と無線認証装置との間の通信が中継された場合に、認証処理の実行を防止することができる、という優れた効果を有する。
【図面の簡単な説明】
【００１５】
【図１】リレーアタックの概略を説明する図である。
【図２】本発明の第１実施形態における情報処理システムの構成の概略を示すブロック図である。
【図３】CPUの機能的構成例を示すブロック図である。
【図４】本発明における無線認証装置の動作を示すフローチャートである。
【図５】本発明における携帯無線装置の動作を示すフローチャートである。
【図６】本発明における情報処理システムの動作を説明する図である。
【図７】本発明における携帯無線装置の動作を示すフローチャートである。
【図８】本発明における情報処理システムの動作を説明する図である。
【図９】本発明の第２実施形態における情報処理システムの構成の概略を示すブロック図である。
【図１０】CPUの機能的構成例を示すブロック図である。
【図１１】本発明における無線認証装置の動作を示すフローチャートである。
【図１２】本発明における携帯無線装置の動作を示すフローチャートである。
【図１３】本発明における情報処理システムの動作を説明する図である。
【図１４】本発明における無線認証装置の動作を示すフローチャートである。
【図１５】本発明における情報処理システムの動作を説明する図である。
【図１６】本発明の第３実施形態における情報処理システムの構成の概略を示すブロック図である。
【図１７】本発明における無線認証装置の動作を示すフローチャートである。
【図１８】本発明における携帯無線装置の動作を示すフローチャートである。
【図１９】本発明における情報処理システムの動作を説明する図である。
【図２０】本発明の第３実施形態における情報処理システムの構成の概略を示すブロック図である。
【図２１】本発明における無線認証装置の動作を示すフローチャートである。
【図２２】本発明における携帯無線装置の動作を示すフローチャートである。
【図２３】本発明における情報処理システムの動作を説明する図である。
【発明を実施するための形態】
【００１６】
＜第１実施形態＞
本発明の第１実施形態を、図２乃至図８を参照して説明する。図２と図３は、情報処理システム１の構成を説明するための図である。図４乃至８は、情報処理システム１の動作を説明するための図である。
【００１７】
［構成］
図２は、第１実施形態における情報処理システム１の構成を示すブロック図である。図２に示すように、情報処理システム１は、無線認証装置１１と携帯無線装置１２とを備える。無線認証装置１１は、例えば、ユーザが利用する対象物に設置される。また、携帯無線装置１２は、例えば、ユーザが携帯する鍵（例えばスマートキー（登録商標））や携帯電話機等に内蔵される。例えば、無線認証装置１１は対象物としての車両に設置され、車両のドアを施錠または解錠するドアロック制御装置として機能する。そして、携帯無線装置１２は、車両のドアを施錠または解錠させるための鍵として機能する。
【００１８】
まず、無線認証装置１１の構成について説明する。無線認証装置１１は、CPU（Central Processing Unit）２１、方角取得部２２、メモリ２３、通信部２４、およびアンテナ２５を備えている。
【００１９】
CPU２１は、メモリ２３に記憶されているプログラムを、RAM（Random Access Memory）（図示せず）に読み出し、各種の処理（例えば、方角取得部２２および通信部２４の処理）を実行する。
【００２０】
方角取得部２２（受信方角取得手段または送信方角取得手段）は、例えば地磁気センサを利用して方角を取得する。そして、方角取得部２２は、携帯無線装置１２から送信された、ある情報を受信した方角を受信方角として取得する。
【００２１】
通信部２４（第１の無線通信手段）は、アンテナ２５を介して、携帯無線装置１２と各種の情報を送受信する。アンテナ２５は、指向性を有する指向性アンテナであり、水平方向の特定の方向から任意の情報を受信する機能を有する。また、アンテナ２５は、全方向から任意の情報を受信する機能および全方向へ任意の情報を送信する機能を有する。なお、アンテナ２５は、１つのアンテナから構成されていてもよいし、複数のアンテナから構成されていてもよい。後述して説明する他の構成についても同様である。
【００２２】
次に図３を参照して、CPU２１の機能的構成例について説明する。CPU２１は、制御部３１、判定部３２、および認証部３３の機能ブロックを備える。そして、CPU２１は、プログラムを実行することで、制御部３１、判定部３２、および認証部３３の処理を実現する。なお、CPU２１の各ブロックは、必要に応じて相互に信号、データを授受することが可能とされている。
【００２３】
制御部３１は、携帯無線装置１２が無線認証装置１１に対応付けられているか否かを判定するための乱数を生成する。そして、通信部２４が、アンテナ２５を介して、生成された乱数を携帯無線装置１２へ送信する。また、通信部２４は、乱数とともに、携帯無線装置１２が無線認証装置１１に対応付けられているか否かを判定するための認証情報の要求を表す認証情報要求を送信する。また、通信部２４は、アンテナ２５を介して、後述して説明する携帯無線装置１２から、乱数と、送信方角を表す送信方角情報とが暗号化された暗号化情報を受信する。なお、送信方角とは、携帯無線装置１２が送信方角情報を送信した方角である。
【００２４】
次に、制御部３１は、メモリ２３に予め記憶された、暗号化情報を復号するための復号情報に基づいて、受信した暗号化情報を復号する。復号情報とは、例えば、携帯無線装置１２が有する公開鍵と対応付けられた秘密鍵である。
【００２５】
そして、判定部３２は、携帯無線装置１２から送信された送信方角情報が表す送信方角と、方角取得部２２により取得された受信方角とが対応付けられているか否かを判定する。
【００２６】
例えば、送信方角が「西」であり、受信方角が「東」である場合、携帯無線装置１２と無線認証装置１１との間の通信が中継されている可能性は十分低くなる。従って、判定部３２は、送信方角の反対の方角（例えば送信方角に対して１８０度反対の方角）と、受信方角とが一致する場合、送信方角と受信方角とが対応付けられていると判定する。
【００２７】
送信方角と受信方角とが対応付けられていると判定された場合、認証部３３（認証手段）は、制御部３１により生成された乱数と、制御部３１により復号された暗号化情報に含まれる乱数と、が一致するか否かを判定する認証処理を実行する。
【００２８】
すなわち、認証部３３は、無線認証装置１１により生成された乱数と、携帯無線装置１２により公開鍵を用いて暗号化され無線認証装置１１により秘密鍵を用いて復号された乱数と、が一致するか否かを判定することにより、無線認証装置１１と携帯無線装置１２とが対応付けられているか否かを判定する。
【００２９】
認証部３３により、生成された乱数と、復号された乱数とが一致すると判定された場合、すなわち、認証に成功したと判定された場合、制御部３１は、例えば、車両のドアロックを解除する。なお、制御部３１は、車両のドアに限らず、家のドア等、ユーザが利用する対象物が有するドア、扉等の施錠または解錠を制御することができる。さらに、制御部３１は、認証部３３により認証が成功したと判定された場合、車両のエンジンを起動することができる。
【００３０】
次に、携帯無線装置１２の構成について説明する。携帯無線装置１２は、CPU４１、通信部４２、アンテナ４３、方角取得部４４、およびメモリ４５を備えている。CPU４１は、メモリ４５に記憶されているプログラムを、RAM（図示せず）に読み出し、各種の処理（例えば、通信部４２および方角取得部４４の処理）を実行する。なお、アンテナ４３と方角取得部４４とは、上述して説明したアンテナ２５と方角取得部２２と同様の構成を有している。
【００３１】
アンテナ４３は、水平方向の特定の方向へ任意の情報を送信する機能を有する。また、アンテナ４３は、全方向から任意の情報を受信する機能および全方向へ任意の情報を送信する機能を有する。なお、アンテナ４３は、水平方向の特定の方向から任意の情報を受信する機能を有することもできる。
【００３２】
通信部４２（第２の無線通信手段）は、アンテナ４３を介して、無線認証装置１１から送信された乱数を受信する。続いて、方角取得部４４（送信方角取得手段または受信方角取得手段）は、アンテナ４３により送信可能な方向ごとの方角を送信方角として取得する。
【００３３】
CPU４１は、例えば、メモリ４５に予め記憶された公開鍵を用いて、通信部４２により受信された乱数を暗号化した暗号化情報（認証情報）を生成する。なお、メモリ４５に記憶された公開鍵は、無線認証装置１１のメモリ２３に記憶された秘密鍵と対応付けられている。
【００３４】
そして、通信部４２は、CPU４１により生成された暗号化情報を無線認証装置１１へ送信する。
【００３５】
［動作］
次に、図４乃至図６を参照して、上述した情報処理システム１の動作について詳細に説明する。図４は、無線認証装置１１の動作として認証処理＃１を説明するフローチャートである。図５は、携帯無線装置１２の動作として認証情報送信処理＃１を説明するフローチャートである。図６は、無線認証装置１１と携帯無線装置１２との動作を説明する図である。
【００３６】
図４の無線認証装置１１の認証処理＃１は、対象物としての車両のドアが施錠されている場合に、車両のドアのロックを解除させるためのロック解除指示が送信されたときに開始される。なお、後述して説明する他の動作についても同様とする。
【００３７】
まず、ステップＳ１において、無線認証装置１１の通信部２４は、ロック解除指示を受信する。ロック解除指示を受信すると、ステップＳ２において、制御部３１は、乱数を生成する。なお、この乱数は、携帯無線装置１２が無線認証装置１１に対応付けられているか否かを判定する認証処理のために利用するものである。
【００３８】
続いて、ステップＳ３において、通信部２４は、ステップＳ２の処理で生成された乱数を携帯無線装置１２へ送信する。なお、通信部２４は、乱数とともに認証情報要求を送信する。認証情報要求とは、無線認証装置１１と携帯無線装置１２とが対応付けられているか否かを判定するための認証情報を要求するための情報である。
【００３９】
次に、図５のステップＳ２１において、携帯無線装置１２の通信部４２は、図４のステップＳ３の処理で送信された乱数を受信する。乱数が受信されると、ステップＳ２２において、携帯無線装置１２の方角取得部４４は、方角を取得する。続いて、ステップＳ２３において、方角取得部４４は、アンテナ４３が送信可能な方向ごとに、送信可能な方向の方角を送信方角として取得する。
【００４０】
そして、ステップＳ２４において、携帯無線装置１２のCPU４１は、アンテナ４３が送信可能な方向ごとに、ステップＳ２１の処理で受信された乱数と、ステップＳ２３の処理で取得された送信方角とを暗号化した暗号化情報を生成する。CPU４１は、例えば、メモリ４５に予め記憶された公開鍵を利用して暗号化を実行する。なお、乱数を暗号化した認証情報と、送信方角を表す送信方角情報を暗号化した暗号化送信方角情報とを個々に生成することもできる。
【００４１】
また、CPU４１は、携帯無線装置１２の固有の識別情報（認証情報）が予めメモリ４５に記憶されている場合には、乱数の代わりに、識別情報を暗号化して暗号化情報を生成し、送信することもできる。この場合、無線認証装置１１の認証部３３は、携帯無線装置１２により送信された固有の識別情報と、無線認証装置１１に予め記憶された識別情報と、が一致するか否かを判定することにより、無線認証装置１１と携帯無線装置１２とが対応付けられているか否かを判定する。また、携帯無線装置１２は、固有の識別情報を暗号化せずに送信することもできる。後述して説明する他の例についても同様である。
【００４２】
続いて、ステップＳ２５において、携帯無線装置１２の通信部４２は、アンテナ４３が送信可能な方向のそれぞれへ、ステップＳ２４の処理で生成された暗号化情報を送信する。例えば、図６の上方向の方角が北である場合、通信部４２は、図６の上方向へ、送信方角として「北」を表す送信方角情報（暗号化情報）を送信する。同様に、通信部４２は、図６の右方向へ、送信方角として「東」を表す送信方角情報を送信し、図６の下方向へ、送信方角として「南」を表す送信方角情報を送信し、図６の左方向へ、送信方角として「西」を表す送信方角情報を送信する。
【００４３】
なお、送信可能な方向が一方向である場合、その送信可能な方向の方角を取得する。また、送信可能な方向の方角は、ユーザがロック解除指示を送信するために携帯無線装置１２のボタン（図示せず）等を押下した時に取得することもできる。送信可能な方向が一方向である場合、無線認証装置１１と携帯無線装置１２との間の通信を中継することは困難であり、認証処理の実行を防止することができる。
【００４４】
ステップＳ２５の処理の後、携帯無線装置１２の認証情報送信処理＃１は終了する。
【００４５】
一方、図４のステップＳ４において、無線認証装置１１の通信部２４は、図５のステップＳ２５の処理で送信された暗号化情報を受信する。続いて、ステップＳ５において、方角取得部２２は、ステップＳ４の処理で暗号化情報を受信した方角を受信方角として取得する。
【００４６】
例えば、図６に示されるように、無線認証装置１１が中継機器６１Ａ，６１Ｂを介して暗号化情報を受信した場合、図６の右上の方向から暗号化情報を受信するので、方角取得部２２は、受信方角として「北東」を取得する。
【００４７】
続いて、ステップＳ６において、無線認証装置１１の制御部３１は、メモリ２３に予め記憶された秘密鍵を利用して、ステップＳ４の処理で受信した暗号化情報を復号する。なお、ステップＳ６の処理は、ステップＳ４の処理が実行された後（ステップＳ５の処理が終了する前）に実行することができる。
【００４８】
そして、ステップＳ７において、無線認証装置１１の判定部３２は、ステップＳ６の処理で復号された暗号化情報に含まれる送信方角と、ステップＳ５の処理で取得された受信方角と、が対応付けられているか否かを判定する。
【００４９】
図６の例では、送信方角が「西」であり、受信方角が「北東」である。「西」の反対の方角は「東」であり、「東」と受信方角「北東」とは一致しない。従って、判定部３２は、送信方角と受信方角とが対応付けられていないと判定する（ステップＳ７：Ｎｏ）。
【００５０】
一方、ステップＳ７において、送信方角と受信方角とが対応付けられていると判定された場合（ステップＳ７：Ｙｅｓ）、ステップＳ８において、無線認証装置１１の認証部３３は、携帯無線装置１２を認証する。すなわち、認証部３３は、ステップＳ２の処理で生成した乱数と、ステップＳ６の処理で復号された暗号化情報に含まれる乱数とが一致するか否かを判定する認証処理を実行する。
【００５１】
そして、ステップＳ９において、無線認証装置１１の認証部３３は、認証に成功したかを判定する。すなわち、ステップＳ２の処理で生成した乱数と、ステップＳ６の処理で復号された乱数とが一致するかを判定する。ステップＳ９において、認証に成功したと判定された場合（ステップＳ９：Ｙｅｓ）、ステップＳ１０において、無線認証装置１１の制御部３１は、車両のドアロックを解除する。
【００５２】
ステップＳ１０の処理の後、ステップＳ７の処理でＮｏと判定された場合、およびステップＳ９の処理でＮｏと判定された場合、無線認証装置１１の認証処理＃１は終了する。
【００５３】
このように、携帯無線装置１２から送信された送信方角と、無線認証装置１１が取得した受信方角とが対応付けられているか否かを判定し、送信方角と受信方角とが対応付けられていない場合、認証処理（ステップＳ８，Ｓ９の処理）は実行されない。従って、リレーアタックにより、無線認証装置１１と携帯無線装置１２との間の通信が中継された場合に、認証処理の実行を防止することができる。
【００５４】
なお、上述した携帯無線装置１２は、アンテナ４３が送信可能な方向のそれぞれへ、当該方向に対応する送信方角を表す送信方角情報（暗号化情報）を送信するとしたが、アンテナ４３が全方向へ所定の送信方角を表す送信方角情報を送信することもできる。
【００５５】
図７と図８を参照して、携帯無線装置１２の動作の他の例について説明する。図７は、携帯無線装置１２の動作として認証情報送信処理＃２を説明するフローチャートである。図８は、無線認証装置１１と携帯無線装置１２の動作を説明する図である。
【００５６】
なお、図７の携帯無線装置１２に対応する無線認証装置１１の動作は、図４を参照して説明した動作と同様であるので、無線認証装置１１の動作の説明を省略する。
【００５７】
図７に示される認証情報送信処理＃２は、図４のステップＳ３の処理（乱数を送信する処理）が実行された後に開始される。
【００５８】
まず、ステップＳ３１において、携帯無線装置１２の通信部４２は、図４のステップＳ３の処理で送信された乱数を受信する。続いて、ステップＳ３２において、携帯無線装置１２の方角取得部４４は、ステップＳ３１の処理で受信された乱数を受信した方角を送信方角として取得する。
【００５９】
図８の例では、携帯無線装置１２（通信部４２）が、無線認証装置１１から送信され、中継機器６１Ａ，６１Ｂを介して受信した乱数を、携帯無線装置１２の左方向、すなわち「西」の方角から受信する。よって、「西」を送信方角として取得する。
【００６０】
次に、ステップＳ３３において、携帯無線装置１２のCPU４１は、ステップＳ３１の処理で受信された乱数と、ステップＳ３２の処理で取得された送信方角とを暗号化した暗号化情報を生成する。
【００６１】
そして、ステップＳ３４において、携帯無線装置１２の通信部４２は、ステップＳ３３の処理で生成された暗号化情報を送信する。ステップＳ３４の処理の後、携帯無線装置１２の認証情報送信処理＃２は終了する。
【００６２】
そして、通信部４２により暗号化情報が送信されると、例えば図８に示されるように、無線認証装置１１（通信部２４）は、暗号化情報に含まれる送信方角としての「西」を、中継機器６１Ｂ，６１Ａを介して受信する（図４のステップＳ４）。そして、無線認証装置１１は、上述して説明した図４のステップＳ５乃至Ｓ１０の処理を実行する。
【００６３】
このように、携帯無線装置１２が、ある情報を受信した方角を送信方角として取得するので、無線認証装置１１と同様の構成を携帯無線装置１２に適用することができる。従って、リレーアタックにより、無線認証装置１１と携帯無線装置１２との間の通信が中継された場合に、より簡単な構成により認証処理の実行を防止することができる。
【００６４】
＜第２実施形態＞
次に、本発明の第２実施形態を、図９乃至図１５を参照して説明する。図９と図１０は、情報処理システム１０１の構成を説明するための図である。図１１乃至図１５は、情報処理システム１０１の動作を説明するための図である。
【００６５】
上述した第１実施形態では、無線認証装置１１が、送信方角と受信方角とが対応付けられているか否かを判定しているが、図９の携帯無線装置１１２が判定することもできる。第２実施形態では、携帯無線装置１１２が、送信方角と受信方角とが対応付けられているか否かを判定する場合について説明する。
【００６６】
［構成］
図９は、第２実施形態における情報処理システム１０１の構成を示すブロック図である。図９の情報処理システム１０１のうち、図２の情報処理システム１と対応する要素には同じ符号が付されている。すなわち、情報処理システム１０１は、携帯無線装置１１２がCPU１４１を有する点について携帯無線装置１２と異なり、他の構成については情報処理システム１と同様である。従って、図１０を参照して、情報処理システム１０１のCPU１４１の構成について説明する。
【００６７】
図１０は、CPU１４１の機能的構成例を示す機能ブロック図である。CPU１４１は、メモリ４５に記憶されているプログラムを、RAM（図示せず）に読み出し、各種の処理を実行する。また、CPU１４１は、制御部１５１，および判定部１５２の機能ブロックを備えている。なお、CPU１４１の各ブロックは、必要に応じて相互に信号、データを授受することが可能とされている。
【００６８】
制御部１５１は、例えば、メモリ４５に予め記憶された公開鍵を用いて、通信部４２により受信された乱数を暗号化した暗号化情報（認証情報）を生成する。
【００６９】
判定部１５２は、図３の判定部３２と同様の構成を有しており、無線認証装置１１から送信された送信方角情報が表す送信方角と、方角取得部４４により取得された受信方角とが対応付けられているか否かを判定する。なお、第２実施形態の変形例は、CPU２１の判定部３２を省略することができる。
【００７０】
なお、第２実施形態において、アンテナ２５は、水平方向の特定の方向へ任意の情報を送信する機能と、全方向から任意の情報を受信する機能と、全方向へ任意の情報を送信する機能とを有する。を有する。また、アンテナ２５は、水平方向の特定の方向から任意の情報を受信する機能を有することもできる。
【００７１】
そして、アンテナ４３は、水平方向の特定の方向から任意の情報を受信する機能と、全方向へ任意の情報を送信する機能を有する。
【００７２】
［動作］
次に、図１１乃至図１３を参照して、上述した情報処理システム１０１の動作について詳細に説明する。図１１は、無線認証装置１１１の認証処理＃２を説明するフローチャートである。図１２は、携帯無線装置１１２の認証情報送信処理＃３を説明するフローチャートである。
【００７３】
なお、図１１のステップＳ４１，Ｓ４２，Ｓ４７乃至Ｓ５０は、図４のステップＳ１，Ｓ２，Ｓ６，Ｓ８乃至Ｓ１０に対応する処理である。また、図１２のステップＳ５，Ｓ７は、図４のステップＳ５，Ｓ７に対応する処理である。従って、詳細な説明を省略する。
【００７４】
まず、ステップＳ４１において、無線認証装置１１１の通信部２４は、ロック解除指示を受信する。続いて、ステップＳ４２において、制御部３１は、乱数を生成する。次に、ステップＳ４３において、方角取得部２２は、方角を取得する。続いて、ステップＳ４４において、方角取得部２２は、アンテナ２５が送信可能な方向の方角を送信方角として取得する。
【００７５】
そして、ステップＳ４５において、通信部２４は、アンテナ２５が送信可能な方向のそれぞれへ、ステップＳ４２の処理で生成された乱数と、ステップＳ４４の処理で取得された送信方角を表す送信方角情報とを送信する。
【００７６】
例えば、図１３の上方向の方角が北である場合、通信部２４（無線認証装置１１）は、図１３の上方向へ、送信方角として「北」を表す送信方角情報（暗号化情報）を送信する。同様に、通信部２４は、図１３の右方向へ、送信方角として「東」を表す送信方角情報を送信し、図１３の下方向へ、送信方角として「南」を表す送信方角情報を送信し、図１３の左方向へ、送信方角として「西」を表す送信方角情報を送信し、図１３の右上方向へ、送信方角として「北東」を表す送信方角情報を送信する。
【００７７】
次に、図１２のステップＳ６１において、携帯無線装置１２の通信部４２は、図１１のステップＳ４５の処理で送信された乱数と、送信方角情報とを受信する。続いて、ステップＳ６２において、方角取得部４４は、ステップＳ６１の処理で乱数と送信方角情報とを受信した方角を受信方角として取得する。
【００７８】
例えば、図１３に示されるように、携帯無線装置１１２が中継機器６１Ａ，６１Ｂを介して送信方角情報を受信した場合、図１３の左の方向から送信方角情報を受信するので、方角取得部４４は、受信方角として「西」を取得する。
【００７９】
そして、ステップＳ６３において、判定部１５２は、ステップＳ６１の処理で取得された送信方角情報が表す送信方角と、ステップＳ６２の処理で取得された受信方角とが対応付けられているかを判定する。
【００８０】
図１３の例では、送信方角が「北東」であり、受信方角が「西」である。「北東」の反対の方角は「南西」であり、「南西」と受信方角「西」とは一致しない。従って、判定部１５２は、送信方角と受信方角とが対応付けられていないと判定する（ステップＳ６３：Ｎｏ）。
【００８１】
一方、ステップＳ６３において、送信方角と受信方角とが一致すると判定された場合（ステップＳ６３：Ｙｅｓ）、ステップＳ６４において、携帯無線装置１１２の制御部１５１は、ステップＳ６１の処理で受信された乱数を暗号化した暗号化情報（認証情報）を生成する。
【００８２】
そして、ステップＳ６５において、携帯無線装置１１２の通信部４２は、ステップＳ６４の処理で生成された暗号化情報を送信する。ステップＳ６５の処理の後、および、ステップＳ６３においてＮｏと判定された場合、携帯無線装置１１２の認証情報送信処理＃３は終了する。
【００８３】
続いて、図１１のステップＳ４６において、無線認証装置１１１の通信部２４は、ステップＳ６５の処理で送信された暗号化情報を受信したかを判定する。ステップＳ４６において、まだ暗号化情報を受信していないと判定された場合（ステップＳ４６：Ｎｏ）、ステップＳ４６の処理が繰り返される。
【００８４】
一方、ステップＳ４６において、暗号化情報を受信したと判定された場合（ステップＳ４６：Ｙｅｓ）、ステップＳ４７において、無線認証装置１１１の制御部３１は、メモリ２３に予め記憶された秘密鍵を利用して、受信した暗号化情報を復号する。
【００８５】
そして、ステップＳ４８において、無線認証装置１１１の認証部３３は、携帯無線装置１１２を認証する。すなわち、認証部３３は、ステップＳ４２の処理で生成した乱数と、ステップＳ４７の処理で復号された暗号情報に含まれる乱数とが一致するか否かを判定する認証処理を実行する。
【００８６】
そして、ステップＳ４９において、無線認証装置１１１の認証部３３は、認証に成功したかを判定する。ステップＳ４９において、認証に成功したと判定された場合（ステップＳ４９：Ｙｅｓ）、ステップＳ５０において、無線認証装置１１１の制御部３１は、車両のドアロックを解除する。
【００８７】
ステップＳ５０の処理の後、およびステップＳ４９の処理でＮｏと判定された場合、無線認証装置１１１の認証処理＃２は終了する。
【００８８】
このように、携帯無線装置１１２が、送信方角と受信方角とが対応付けられているか否かを判定し、送信方角と受信方角とが対応付けられていないと判定された場合、暗号化情報（認証情報）を送信しないので、通信の効率を向上することができるとともに、セキュリティを向上することができる。
【００８９】
なお、上述した携帯無線装置１１１は、アンテナ２５が送信可能な方向のそれぞれへ、当該方向に対応する送信方角を表す送信方角情報（暗号化情報）を送信するとしたが、アンテナ２５が全方向へ所定の送信方角を表す送信方角情報を送信することもできる。
【００９０】
図１４と図１５を参照して、無線認証装置１１１の動作の他の例について説明する。図１４は、無線認証装置１１１の動作として認証処理＃３を説明するフローチャートである。図１５は、無線認証装置１１１と携帯無線装置１１２の動作を説明する図である。
【００９１】
なお、図１４の無線認証装置１１１に対応する携帯無線装置１１２の動作は、図１２を参照して説明した動作と同様であるので、携帯無線装置１１２の動作の説明を省略する。また、図１４のステップＳ８１，Ｓ８２，Ｓ８５乃至Ｓ８９は、図１１のステップＳ４１，Ｓ４２，Ｓ４６乃至Ｓ５０に対応する処理であるので、詳細な説明を省略する。
【００９２】
まず、ステップＳ８１において、無線認証装置１１１の通信部２４は、ロック解除指示を受信する。続いて、ステップＳ８２において、制御部３１は、乱数を生成する。次に、ステップＳ８３において、方角取得部２２は、ステップＳ８１の処理で受信されたロック解除指示を受信した方角を送信方角として取得する。
【００９３】
図１５の例では、無線認証装置１１１（通信部４２）が、中継機器６１Ａから送信されたロック解除指示を、無線認証装置１１１の右上方向、すなわち図１５の上方向の方角である場合、「北東」から受信する。よって、「北東」を送信方角として取得する。
【００９４】
続いて、ステップＳ８４において、通信部２４は、ステップＳ８２の処理で生成された乱数と、ステップＳ８３の処理で取得された送信方角を表す送信方角情報とを携帯無線装置１１２へ送信する。
【００９５】
そして、携帯無線装置１１２は、上述して説明した図１２のステップＳ６１乃至Ｓ６５の処理を実行する。
【００９６】
続いて、図１４のステップＳ８５において、無線認証装置１１１の通信部２４は、図１２のステップＳ６５の処理で送信された暗号化情報を受信したかを判定する。ステップＳ８５において、まだ暗号化情報を受信していないと判定された場合（ステップＳ８５：Ｎｏ）、ステップＳ８５の処理が繰り返される。
【００９７】
一方、ステップＳ８５において、暗号化情報を受信したと判定された場合（ステップＳ８５：Ｙｅｓ）、ステップＳ８６において、無線認証装置１１１の制御部３１は、メモリ２３に予め記憶された秘密鍵を利用して、受信した暗号化情報を復号する。
【００９８】
そして、ステップＳ８７において、無線認証装置１１１の認証部３３は、携帯無線装置１１２を認証する。続いて、ステップＳ８８において、無線認証装置１１１の認証部３３は、認証に成功したかを判定する。ステップＳ８８において、認証に成功したと判定された場合（ステップＳ８８：Ｙｅｓ）、ステップＳ８９において、無線認証装置１１１の制御部３１は、車両のドアロックを解除する。
【００９９】
ステップＳ８９の処理の後、およびステップＳ８８の処理でＮｏと判定された場合、無線認証装置１１１の認証処理＃３は終了する。
【０１００】
このように、無線認証装置１１１と携帯無線装置１１２に対して同様の構成を適用することができるので、より簡単な構成により認証処理の実行を防止することができる。
【０１０１】
＜第３実施形態＞
次に、本発明の第３実施形態を、図１６乃至図１９を参照して説明する。図１６は、情報処理システム２０１の構成を説明するための図である。図１７乃至図１９は、情報処理システム２０１の動作を説明するための図である。
【０１０２】
［構成］
図１６は、第３実施形態における情報処理システム２０１の構成を示すブロック図である。図１６の情報処理システム２０１のうち、図２の情報処理システム１と対応する要素には同じ符号が付されている。すなわち、情報処理システム２０１は、無線認証装置２１１が位置情報取得部２２１を有し、携帯無線装置２１２が位置情報取得部２４１を有する点と、携帯無線装置１２の方角取得部４４が省略されている点において情報処理システム１と異なり、他の構成については情報処理システム１と同様である。従って、位置情報取得部２２１，２４１の構成について説明する。
【０１０３】
位置情報取得部２２１は、例えば、GPS（Global Positioning System）等の位置を測定するシステムを利用して、無線認証装置２１１の位置を表す位置情報（第１の位置情報）を取得する。位置情報取得部２４１は、位置情報取得部２２１と同様の構成を有しており、携帯無線装置２１２の位置を表す位置情報（第２の位置情報）を取得する。
【０１０４】
なお、第３実施形態において、アンテナ２５は、水平方向の特定の方向から任意の情報を受信する機能と、全方向から任意の情報を受信する機能と、全方向へ任意の情報を送信する機能とを有する。また、アンテナ４３は、全方向から任意の情報を受信する機能および全方向へ任意の情報を送信する機能を有する。
【０１０５】
［動作］
次に、図１７乃至図１９を参照して、上述した情報処理システム２０１の動作について詳細に説明する。図１７は、無線認証装置２１１の認証処理＃４を説明するフローチャートである。図１８は、携帯無線装置２１２の認証情報送信処理＃４を説明するフローチャートである。図１９は、無線認証装置２１１と携帯無線装置２１２の動作を説明するための図である。
【０１０６】
なお、図１７のステップＳ１０１乃至Ｓ１０６，Ｓ１０９乃至Ｓ１１２は、図４のステップＳ１乃至Ｓ６，Ｓ７乃至Ｓ１０に対応する処理である。また、図１８のステップＳ１３１，Ｓ１３３，Ｓ１３４は、図７のステップＳ３１，Ｓ３３，Ｓ３４に対応する処理である。従って、詳細な説明を省略する。
【０１０７】
まず、ステップＳ１０１において、無線認証装置２１１の通信部２４は、ロック解除指示を受信する。続いて、ステップＳ１０２において、制御部３１は、乱数を生成する。そして、ステップＳ１０３において、通信部２４は、ステップＳ１０２の処理で生成された乱数を携帯無線装置２１２へ送信する。
【０１０８】
図１８のステップＳ１３１において、携帯無線装置２１２の通信部４２は、ステップＳ１０３の処理で送信された乱数を受信する。続いて、ステップＳ１３２において、携帯無線装置２１２の位置情報取得部２４１は、携帯無線装置２１２の位置を表す位置情報を取得する。
【０１０９】
そして、ステップＳ１３３において、携帯無線装置２１２のCPU４１は、ステップＳ１３１の処理で受信された乱数と、ステップＳ１３２の処理で取得された携帯無線装置２１２の位置情報とを暗号化した暗号化情報を生成する。
【０１１０】
そして、ステップＳ１３４において、携帯無線装置２１２の通信部４２は、ステップＳ１３３の処理で生成された暗号化情報を送信する。ステップＳ１３４の処理の後、携帯無線装置２１２の認証情報送信処理＃４は終了する。
【０１１１】
一方、図１７のステップＳ１０４において、無線認証装置２１１の通信部２４は、図１８のステップＳ１３４の処理で送信された暗号化情報を受信する。続いて、ステップＳ１０５において、方角取得部２２は、ステップＳ１０４の処理で暗号化情報を受信した方角を受信方角として取得する。図１９の例では、無線認証装置２１１が図１９の右上方向から暗号化情報を受信している。よって、図１９の上方向の方角を北とすると、方角取得部２２は、受信方角として「北東」を取得する。
【０１１２】
次に、ステップＳ１０６において、制御部３１は、メモリ２３に予め記憶された秘密鍵を利用して、ステップＳ１０４の処理で受信した暗号化情報を復号する。続いて、ステップＳ１０７において、位置情報取得部２２１は、無線認証装置２１１の位置を表す位置情報を取得する。そして、ステップＳ１０８において、制御部３１は、ステップＳ１０６の処理で復号した暗号化情報に含まれる携帯無線装置２１２の位置情報と、ステップＳ１０７の処理で取得した無線認証装置２１１の位置情報とに基づいて、無線認証装置２１１の位置から携帯無線装置２１２の位置への実際の方角である位置方角を取得する。
【０１１３】
図１９の例では、無線認証装置２１１が、携帯無線装置２１２から携帯無線装置２１２の位置情報として（ｘＢ，ｙＢ）を受信する。無線認証装置２１１の位置情報を（ｘＡ，ｙＡ）とすると、無線認証装置２１１は、（ｘＡ，ｙＡ）と（ｘＢ，ｙＢ）とに基づき位置方角として、「東北東」を取得する。
【０１１４】
なお、ステップＳ１０６乃至Ｓ１０８の処理は、ステップＳ１０４の処理が実行された後（ステップＳ１０５の処理が終了する前）に実行することができる。
【０１１５】
そして、ステップＳ１０９において、判定部３２は、ステップＳ１０５の処理で取得された受信方角と、ステップＳ１０８の処理で取得された位置方角とが対応付けられているかを判定する。
【０１１６】
図１９の例では、受信方角が「北東」であり、位置方角が「東北東」であるので、受信方角と位置方角とが一致せず、ステップＳ１０９の処理でＮｏと判定される。
【０１１７】
一方、ステップＳ１０９において、受信方角と位置方角とが対応付けられている（一致する）と判定された場合（ステップＳ１０９：Ｙｅｓ）、ステップＳ１１０において、認証部３３は、携帯無線装置２１２を認証する。
【０１１８】
続いて、ステップＳ１１１において、認証部３３は、認証に成功したかを判定する。ステップＳ１１１において、認証に成功したと判定された場合（ステップＳ１１１：Ｙｅｓ）、ステップＳ１１２において、制御部３１は、車両のドアロックを解除する。
【０１１９】
ステップＳ１１２の処理の後、ステップＳ１０９の処理でＮｏと判定された場合、およびステップＳ１１１の処理でＮｏと判定された場合、無線認証装置２１１の認証処理＃４は終了する。
【０１２０】
このように、無線認証装置２１１は、無線認証装置２１１から携帯無線装置２１２への実際の方角と、無線認証装置２１１が、携帯無線装置２１２から送信された、ある情報を受信した方角と、が対応付けられているかを判定する。従って、リレーアタックにより、無線認証装置２１１と携帯無線装置２１２との間の通信が中継された場合に、認証処理の実行を防止することができる。
【０１２１】
＜第４実施形態＞
次に、本発明の第４実施形態を、図２０乃至図２３を参照して説明する。図２０は、情報処理システム３０１の構成を説明するための図である。図２１乃至図２３は、情報処理システム３０１の動作を説明するための図である。
【０１２２】
上述した第３実施形態では、無線認証装置２１１が、受信方角と位置方角とが対応付けられているか否かを判定しているが、図２０の携帯無線装置３１２が判定することもできる。第４実施形態では、携帯無線装置３１２が、受信方角と位置方角とが対応付けられているか否かを判定する場合について説明する。
【０１２３】
第４実施形態において、アンテナ２５は、全方向から任意の情報を受信する機能および全方向へ任意の情報を送信する機能を有する。また、アンテナ４３は、水平方向の特定の方向から任意の情報を受信する機能と、全方向へ任意の情報を送信する機能とを有する。
【０１２４】
［構成］
図２０は、第４実施形態における情報処理システム３０１の構成を示すブロック図である。図２０の情報処理システム３０１のうち、図９の情報処理システム１０１および図１６の情報処理システム２０１と対応する要素には同じ符号が付されている。すなわち、情報処理システム３０１は、携帯無線装置３１２がCPU１４１と、方角取得部４４を有する点と、無線認証装置２１１の方角取得部２２と、携帯無線装置２１２のCPU４１とが省略されている点において情報処理システム２０１と異なり、他の構成については情報処理システム２０１と同様である。
【０１２５】
［動作］
次に、図２１乃至図２３を参照して、上述した情報処理システム１０１の動作について詳細に説明する。図２１は、無線認証装置３１１の認証処理＃５を説明するフローチャートである。図２２は、携帯無線装置３１２の認証情報送信処理＃５を説明するフローチャートである。図２３は、無線認証装置３１１と携帯無線装置３１２の動作を説明するための図である。
【０１２６】
なお、図２１のステップＳ１４１，Ｓ１４２，Ｓ１４５乃至Ｓ１４９は、図１１のステップＳ４１，Ｓ４２，Ｓ４６乃至Ｓ５０に対応する処理であるので、詳細な説明を省略する。また、図２２のステップＳ１６４，Ｓ１６６，Ｓ１６７は、図１２のステップＳ６２，Ｓ６６，Ｓ６７に対応する処理であるので、詳細な説明を省略する。
【０１２７】
まず、ステップＳ１４１において、無線認証装置３１１の通信部２４は、ロック解除指示を受信する。続いて、ステップＳ１４２において、制御部３１は、乱数を生成する。次に、ステップＳ１４３において、位置情報取得部２２１は、無線認証装置３１１の位置を表す位置情報を取得する。続いて、ステップＳ１４４において、通信部２４は、ステップＳ１４２の処理で生成された乱数と、ステップＳ１４３の処理で取得された無線認証装置３１１の位置情報とを送信する。
【０１２８】
そして、図２２のステップＳ１６１において、携帯無線装置３１２の通信部４２は、図２１のステップＳ１４４の処理で送信された乱数と、無線認証装置３１１の位置情報とを受信する。続いて、ステップＳ１６２において、位置情報取得部２４１は、携帯無線装置３１２の位置を表す位置情報を取得する。そして、ステップＳ１６３において、携帯無線装置３１２の制御部１５１は、ステップＳ１６１の処理で受信された無線認証装置３１１の位置情報と、ステップＳ１６２の処理で取得された携帯無線装置３１２の位置情報とに基づいて、位置方角を取得する。
【０１２９】
図２３の例では、無線認証装置３１１が、携帯無線装置３１２から携帯無線装置３１２の位置情報として（ｘＡ，ｙＡ）を受信する。図２３の上方向の方角を北とし、無線認証装置３１１の位置情報を（ｘＢ，ｙＢ）とすると、携帯無線装置３１２は、（ｘＡ，ｙＡ）と（ｘＢ，ｙＢ）とに基づき位置方角として、「西南西」を取得する。
【０１３０】
次に、ステップＳ１６４において、方角取得部４４は、ステップＳ１６１の処理で乱数と位置情報を受信した方角を受信方角として取得する。図２３の例では、携帯無線装置３１２が図２３の左方向から位置情報（ｘＡ，ｙＡ）を受信している。よって、方角取得部２２は、受信方角として「西」を取得する。
【０１３１】
そして、ステップＳ１６５において、判定部１５２は、ステップＳ１６３の処理で取得された位置方角と、ステップＳ１６４の処理で取得された受信方角とが対応付けられているか（一致するか）を判定する。
【０１３２】
図２３の例では、位置方角が「西南西」であり、受信方角が「西」であるので、受信方角と位置方角とが一致せず、ステップＳ１６５の処理でＮｏと判定される。
【０１３３】
一方、ステップＳ１６５において、位置方角と受信方角とが一致すると判定された場合（ステップＳ１６５：Ｙｅｓ）、ステップＳ１６６において、携帯無線装置３１２の制御部１５１は、ステップＳ１６１の処理で受信された乱数を暗号化した暗号化情報（認証情報）を生成する。
【０１３４】
そして、ステップＳ１６７において、携帯無線装置３１２の通信部４２は、ステップＳ１６６の処理で生成された暗号化情報を送信する。ステップＳ１６７の処理の後、および、ステップＳ１６５においてＮｏと判定された場合、携帯無線装置３１２の認証情報送信処理＃５は終了する。
【０１３５】
一方、図２１のステップＳ１４５において、無線認証装置３１１の通信部２４は、ステップＳ１６７の処理で送信された暗号化情報を受信したかを判定する。ステップＳ１４５において、まだ暗号化情報を受信していないと判定された場合（ステップＳ１４５：Ｎｏ）、ステップＳ１４５の処理が繰り返される。
【０１３６】
一方、ステップＳ１４５において、暗号化情報を受信したと判定された場合（ステップＳ１４５：Ｙｅｓ）、ステップＳ１４６において、制御部３１は、メモリ２３に予め記憶された秘密鍵を利用して、受信した暗号化情報を復号する。
【０１３７】
そして、ステップＳ１４７において、認証部３３は、携帯無線装置３１２を認証する。続いて、ステップＳ１４８において、認証部３３は、認証に成功したかを判定する。ステップＳ１４８において、認証に成功したと判定された場合（ステップＳ１４８：Ｙｅｓ）、ステップＳ１４９において、制御部３１は、車両のドアロックを解除する。
【０１３８】
ステップＳ１４９の処理の後、およびステップＳ１４８の処理でＮｏと判定された場合、無線認証装置３１１の認証処理＃５は終了する。
【０１３９】
このように、携帯無線装置３１２が、位置方角と受信方角とが対応付けられているか否かを判定し、位置方角と受信方角とが対応付けられていないと判定された場合、暗号化情報（認証情報）を送信しないので、通信の効率を向上することができるとともに、セキュリティを向上することができる。
【０１４０】
なお、携帯無線装置が、無線認証装置へロック解除指示を送信する動作を携帯無線装置に内蔵された電池で実行し、無線認証装置から乱数を受信し、認証情報を送信する動作（例えば、図５の認証情報送信処理＃１）を、無線認証装置からの無線給電を利用して実行することもできる。無線給電が可能な範囲には限界があり、たとえ携帯無線装置と無線認証装置との間の通信が中継されたとしても、携帯無線装置には、認証情報を送信するための電力が供給されないので、認証情報が送信されず、認証処理の実行を防止することができる。
【０１４１】
なお、本発明は、上述した第１乃至第４実施形態に限定されるものではなく、本発明の要旨を逸脱しない範囲において種々の変更が可能である。さらに、上述した第１乃至第４実施形態は、一部の機能を他の装置が有していてもよい。
【０１４２】
＜付記＞
上記実施形態の一部又は全部は、以下の付記のようにも記載されうる。以下、本発明における情報処理装置等の構成の概略を説明する。但し、本発明は、以下の構成に限定されない。
【０１４３】
（付記１）
ユーザにより携帯される携帯無線装置と、無線認証装置と、を備える情報処理システムであって、
前記無線認証装置は、
前記携帯無線装置が前記無線認証装置に対応付けられているか否かを判定するための認証情報の要求を表す認証情報要求を送信するとともに、前記認証情報を受信する第１の無線通信手段と、
受信された前記認証情報に基づいて、前記携帯無線装置が前記無線認証装置に対応付けられているか否かを判定する認証処理を実行する認証手段と、を備え、
前記携帯無線装置は、前記認証情報要求を受信するとともに、前記認証情報を送信する第２の無線通信手段を備え、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行するように構成されている、
情報処理システム。
【０１４４】
上記情報処理システムによると、
情報処理システムは、ユーザにより携帯される携帯無線装置と、無線認証装置とを備える。
無線認証装置は、前記携帯無線装置が前記無線認証装置に対応付けられているか否かを判定するための認証情報の要求を表す認証情報要求を送信するとともに、前記認証情報を受信する第１の無線通信手段（通信部２４）と、受信された前記認証情報に基づいて、前記携帯無線装置が前記無線認証装置に対応付けられているか否かを判定する認証処理を実行する認証手段（認証部３３）と、を備える。
携帯無線装置は、前記認証情報要求を受信するとともに、前記認証情報を送信する第２の無線通信手段（通信部４２）を備える。
そして、前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行するように構成されている。
従って、上記情報処理システムは、送信方角または位置方角と、受信方角とが対応付けられていない場合、認証処理を実行しないので、無線認証装置と携帯無線装置との間の通信が中継された場合に、認証処理の実行を防止することができる。
【０１４５】
（付記２）
付記１記載の情報処理システムであって、
前記送信方角を取得する送信方角取得手段と、
前記受信方角を取得する受信方角取得手段と、
をさらに備え、
前記認証手段は、前記送信方角と、前記受信方角とが対応付けられている場合に、前記認証処理を実行する、
情報処理システム。
【０１４６】
上記情報処理システムによると、
送信方角取得手段は、前記送信方角を取得する。
受信方角取得手段は、前記受信方角を取得する。
そして、認証手段は、前記送信方角と、前記受信方角とが対応付けられている場合に、前記認証処理を実行する。
従って、上記情報処理システムは、送信方角と、受信方角とが対応付けられていない場合、認証処理を実行しないので、無線認証装置と携帯無線装置との間の通信が中継された場合に、認証処理の実行を防止することができる。
【０１４７】
（付記３）
付記２記載の情報処理システムであって、
前記一方の装置は、前記送信方角取得手段（方角取得部４４）と、水平方向の特定の方向に任意の情報を送信するアンテナ（アンテナ４３）とを備える前記携帯無線装置であり、
前記他方の装置は、前記受信方角取得手段（方角取得部２２）を備える前記無線認証装置であり、
前記送信方角取得手段は、前記アンテナにより送信可能な方向ごとの方角を前記送信方角として取得し、
前記第２の無線通信手段は、前記アンテナにより送信可能な方向のそれぞれへ、当該方向に対して取得された前記送信方角を表す送信方角情報を送信し、
前記第１の無線通信手段は、前記送信方角情報を受信し、
前記受信方角取得手段は、前記送信方角情報を受信した方角を前記受信方角として取得する、
情報処理システム。
【０１４８】
上記情報処理システムによると、
一方の装置は、前記送信方角取得手段と、水平方向の特定の方向に任意の情報を送信するアンテナとを備える前記携帯無線装置である。
他方の装置は、前記受信方角取得手段を備える前記無線認証装置である。
そして、送信方角取得手段は、前記アンテナにより送信可能な方向ごとの方角を前記送信方角として取得する。
第２の無線通信手段は、前記アンテナにより送信可能な方向のそれぞれへ、当該方向に対して取得された前記送信方角を表す送信方角情報を送信する。
第１の無線通信手段は、前記送信方角情報を受信する。
受信方角取得手段は、前記送信方角情報を受信した方角を前記受信方角として取得する。
従って、上記情報処理システムでは、無線認証装置が、送信方角と、受信方角とが対応付けられているか否かを判定し、送信方角と、受信方角とが対応付けられていない場合、認証処理を実行しないので、無線認証装置と携帯無線装置との間の通信が中継された場合に、認証処理の実行を防止することができる。
【０１４９】
（付記４）
付記３記載の情報処理システムであって、
前記アンテナは、水平方向の特定の一方向に任意の情報を送信可能であり、
前記送信方角取得手段は、前記アンテナにより送信可能な方向の方角を前記送信方角として取得し、
前記第２の無線通信手段は、前記アンテナにより送信可能な前記方向へ、当該方向に対して取得された前記送信方角を表す送信方角情報を送信する、
情報処理装置。
【０１５０】
上記情報処理システムによると、
アンテナは、水平方向の特定の一方向に任意の情報を送信可能である。
送信方角取得手段は、前記アンテナにより送信可能な方向の方角を前記送信方角として取得する。
第２の無線通信手段は、前記アンテナにより送信可能な前記方向へ、当該方向に対して取得された前記送信方角を表す送信方角情報を送信する。
従って、上記情報処理システムでは、アンテナが送信可能な方向が一方向であるので、無線認証装置と携帯無線装置との間の通信を中継することが困難であり、認証処理の実行を防止することができる。
【０１５１】
（付記５）
付記２記載の情報処理システムであって、
前記一方の装置は、前記送信方角取得手段を備える前記携帯無線装置であり、
前記他方の装置は、前記受信方角取得手段を備える前記無線認証装置であり、
前記送信方角取得手段は、前記第２の無線通信手段により、前記無線認証装置から送信された、ある情報を受信した方角を前記送信方角として取得し、
前記第２の無線通信手段は、取得された前記送信方角を表す送信方角情報を送信し、
前記第１の無線通信手段は、前記送信方角情報を受信し、
前記受信方角取得手段は、前記送信方角情報を受信した方角を前記受信方角として取得する、
情報処理システム。
【０１５２】
上記情報処理システムによると、
一方の装置は、前記送信方角取得手段を備える前記携帯無線装置である。
他方の装置は、前記受信方角取得手段を備える前記無線認証装置である。
そして、送信方角取得手段は、前記第２の無線通信手段により、前記無線認証装置から送信された、ある情報を受信した方角を前記送信方角として取得する。
第２の無線通信手段は、取得された前記送信方角を表す送信方角情報を送信する。
第１の無線通信手段は、前記送信方角情報を受信する。
受信方角取得手段は、前記送信方角情報を受信した方角を前記受信方角として取得する。
従って、上記情報処理システムは、無線認証装置と携帯無線認証装置とを同様の構成にすることができるので、より簡単な構成により認証処理の実行を防止することができる。
【０１５３】
（付記６）
付記２記載の情報処理システムであって、
前記一方の装置は、前記送信方角取得手段（方角取得部２２）と、水平方向の特定の方向に任意の情報を送信するアンテナ（アンテナ２５）とを備える前記無線認証装置であり、
前記他方の装置は、前記受信方角取得手段（方角取得部４４）を備える前記携帯無線装置であり、
前記送信方角取得手段は、前記アンテナにより送信可能な方向ごとの方角を前記送信方角として取得し、
前記第１の無線通信手段は、前記アンテナにより送信可能な前記方向のそれぞれへ、当該方向に対して取得された前記送信方角を表す送信方角情報を送信し、
前記第２の無線通信手段は、前記送信方角情報を受信し、
前記受信方角取得手段は、前記送信方角情報を受信した方角を前記受信方角として取得し、
前記第２の無線通信手段は、受信された前記送信方角情報が表す前記送信方角と、取得された前記受信方角とが対応付けられている場合に、前記認証情報を送信する、
情報処理システム。
【０１５４】
上記情報処理システムによると、
一方の装置は、前記送信方角取得手段と、水平方向の特定の方向に任意の情報を送信するアンテナとを備える前記無線認証装置である。
他方の装置は、前記受信方角取得手段を備える前記携帯無線装置である。
そして、送信方角取得手段は、前記アンテナにより送信可能な方向ごとの方角を前記送信方角として取得する。
第１の無線通信手段は、前記アンテナにより送信可能な前記方向のそれぞれへ、当該方向に対して取得された前記送信方角を表す送信方角情報を送信する。
第２の無線通信手段は、前記送信方角情報を受信する。
受信方角取得手段は、前記送信方角情報を受信した方角を前記受信方角として取得し、
前記第２の無線通信手段は、受信された前記送信方角情報が表す前記送信方角と、取得された前記受信方角とが対応付けられている場合に、前記認証情報を送信する。
従って、上記情報処理システムは、送信方角と受信方角とが対応付けられていない場合、認証情報を送信しないので、通信効率を向上することができるとともに、セキュリティを向上することができる。
【０１５５】
（付記７）
付記２記載の情報処理システムであって、
前記一方の装置は、前記送信方角取得手段を備える前記無線認証装置であり、
前記他方の装置は、前記受信方角取得手段を備える前記携帯無線装置であり、
前記送信方角取得手段は、前記第１の無線通信手段により、前記携帯無線装置から送信された、ある情報を受信した方角を前記送信方角として取得し、
前記第１の無線通信手段は、取得された前記送信方角を表す送信方角情報を送信し、
前記第２の無線通信手段は、前記送信方角情報を受信し、
前記受信方角取得手段は、前記送信方角情報を受信した方角を前記受信方角として取得し、
前記第２の無線通信手段は、受信された前記送信方角情報が表す前記送信方角と、取得された前記受信方角とが対応付けられている場合に、前記認証情報を送信する、
情報処理システム。
【０１５６】
上記情報処理システムによると、
一方の装置は、前記送信方角取得手段を備える前記無線認証装置である。
他方の装置は、前記受信方角取得手段を備える前記携帯無線装置である。
そして、送信方角取得手段は、前記第１の無線通信手段により、前記携帯無線装置から送信された、ある情報を受信した方角を前記送信方角として取得する。
第１の無線通信手段は、取得された前記送信方角を表す送信方角情報を送信する。
第２の無線通信手段は、前記送信方角情報を受信する。
受信方角取得手段は、前記送信方角情報を受信した方角を前記受信方角として取得する。
第２の無線通信手段は、受信された前記送信方角情報が表す前記送信方角と、取得された前記受信方角とが対応付けられている場合に、前記認証情報を送信する。
従って、上記情報処理システムは、無線認証装置と携帯無線認証装置とを同様の構成にすることができるので、より簡単な構成により認証処理の実行を防止することができる。また送信方角と受信方角とが対応付けられていない場合、認証情報を送信しないので、通信効率を向上することができるとともに、セキュリティを向上することができる。
【０１５７】
（付記８）
付記１記載の情報処理システムであって、
前記無線認証装置の位置を表す第１の位置情報を取得する第１の位置情報取得手段と、
前記携帯無線装置の位置を表す第２の位置情報を取得する第２の位置情報取得手段と、
前記受信方角を取得する受信方角取得手段と、
をさらに備え、
前記認証手段は、前記第１の位置情報および前記第２の位置情報に基づいて取得される前記位置方角と、前記受信方角とが対応付けられている場合に、前記認証処理を実行する、
情報処理システム。
【０１５８】
上記情報処理システムによると、
第１の位置情報取得手段（位置情報取得部２２１）は、前記無線認証装置の位置を表す第１の位置情報を取得する。
第２の位置情報取得手段（位置情報取得部２４１）は、前記携帯無線装置の位置を表す第２の位置情報を取得する。
受信方角取得手段は、前記受信方角を取得する。
そして、認証手段は、前記第１の位置情報および前記第２の位置情報に基づいて取得される前記位置方角と、前記受信方角とが対応付けられている場合に、前記認証処理を実行する。
従って、上記情報処理システムは、位置方角と、受信方角とが対応付けられていない場合、認証処理を実行しないので、無線認証装置と携帯無線装置との間の通信が中継された場合に、認証処理の実行を防止することができる。
【０１５９】
（付記９）
付記８記載の情報処理システムであって、
前記一方の装置は、前記第２の位置情報取得手段を備える前記携帯無線装置であり、
前記他方の装置は、前記第１の位置情報取得手段と、前記受信方角取得手段とを備える前記無線認証装置であり、
前記第２の無線通信手段は、取得された前記第２の位置情報を送信し、
前記第１の無線通信手段は、前記第２の位置情報を受信し、
前記受信方角取得手段は、前記第２の位置情報を受信した方角を前記受信方角として取得する、
情報処理システム。
【０１６０】
上記情報処理システムによると、
一方の装置は、前記第２の位置情報取得手段を備える前記携帯無線装置である。
他方の装置は、前記第１の位置情報取得手段と、前記受信方角取得手段とを備える前記無線認証装置である。
そして、第２の無線通信手段は、取得された前記第２の位置情報を送信する。
第１の無線通信手段は、前記第２の位置情報を受信する。
受信方角取得手段は、前記第２の位置情報を受信した方角を前記受信方角として取得する。
従って、上記情報処理システムでは、無線認証装置が、位置方角と、受信方角とが対応付けられているか否かを判定し、位置方角と、受信方角とが対応付けられていない場合、認証処理を実行しないので、無線認証装置と携帯無線装置との間の通信が中継された場合に、認証処理の実行を防止することができる。
【０１６１】
（付記１０）
付記８記載の情報処理システムであって、
前記一方の装置は、前記第２の位置情報取得手段を備える前記携帯無線装置であり、
前記他方の装置は、前記第１の位置情報取得手段と、前記受信方角取得手段とを備える前記無線認証装置であり、
前記第１の無線通信手段は、取得された前記第１の位置情報を送信し、
前記第２の無線通信手段は、前記第１の位置情報を受信するとともに、受信した前記第１の位置情報、および取得された前記第２の位置情報に基づいて取得される、前記位置方角を表す位置方角情報を送信し、
前記第１の無線通信手段は、前記位置方角情報を受信し、
前記受信方角取得手段は、前記位置方角情報を受信した方角を前記受信方角として取得する、
情報処理システム。
【０１６２】
上記情報処理システムによると、
一方の装置は、前記第２の位置情報取得手段を備える前記携帯無線装置である。
他方の装置は、前記第１の位置情報取得手段と、前記受信方角取得手段とを備える前記無線認証装置である。
そして、第１の無線通信手段は、取得された前記第１の位置情報を送信する。
第２の無線通信手段は、前記第１の位置情報を受信するとともに、受信した前記第１の位置情報、および取得された前記第２の位置情報に基づいて取得される、前記位置方角を表す位置方角情報を送信する。
第１の無線通信手段は、前記位置方角情報を受信する。
受信方角取得手段は、前記位置方角情報を受信した方角を前記受信方角として取得する。
従って、上記情報処理システムでは、携帯無線装置が位置方角を取得し、無線認証装置に送信するので、無線認証装置の負荷を軽減することができる。
【０１６３】
（付記１１）
付記８記載の情報処理システムであって、
前記一方の装置は、前記第１の位置情報取得手段を備える前記無線認証装置であり、
前記他方の装置は、前記第２の位置情報取得手段と、前記受信方角取得手段とを備える前記携帯無線装置であり、
前記第１の無線通信手段は、取得された前記第１の位置情報を送信し、
前記第２の無線通信手段は、前記第１の位置情報を受信し、
前記受信方角取得手段は、前記第１の位置情報を受信した方角を前記受信方角として取得し、
前記第２の無線通信手段は、受信された前記第１の位置情報、および取得された前記第２の位置情報に基づいて取得される前記位置方角と、前記受信方角とが対応付けられている場合に、前記認証情報を送信する、
情報処理システム。
【０１６４】
上記情報処理システムによると、
一方の装置は、前記第１の位置情報取得手段を備える前記無線認証装置である。
他方の装置は、前記第２の位置情報取得手段と、前記受信方角取得手段とを備える前記携帯無線装置である。
第１の無線通信手段は、取得された前記第１の位置情報を送信する。
第２の無線通信手段は、前記第１の位置情報を受信する。
受信方角取得手段は、前記第１の位置情報を受信した方角を前記受信方角として取得する。
第２の無線通信手段は、受信された前記第１の位置情報、および取得された前記第２の位置情報に基づいて取得される前記位置方角と、前記受信方角とが対応付けられている場合に、前記認証情報を送信する。
従って、上記情報処理システムでは、位置方角と受信方角とが対応付けられていない場合、認証情報を送信しないので、通信効率を向上することができるとともに、セキュリティを向上することができる。
【０１６５】
（付記１２）
ユーザにより携帯される携帯無線装置が自身に対応付けられているか否かを判定するための認証情報の要求を表す認証情報要求を送信するとともに、前記認証情報を受信する第１の無線通信手段と、受信された前記認証情報に基づいて、前記携帯無線装置が自身に対応付けられているか否かを判定する認証処理を実行する認証手段とを備える無線認証装置と、前記認証情報要求を受信するとともに、前記認証情報を送信する第２の無線通信手段を備える携帯無線装置と、を備える情報処理システムの情報処理方法であって、
前記認証手段は、前記無線認証装置および前記携帯無線装置のうちの一方の装置が、ある情報を送信した方角である送信方角、または、前記一方の装置の位置から他方の装置の位置への方角である位置方角と、前記他方の装置が、前記一方の装置により送信された、ある情報を受信した方角である受信方角と、が対応付けられている場合に、前記認証処理を実行する、
情報処理方法。
【０１６６】
（付記１３）
ユーザが携帯する携帯無線装置が自身に対応付けられているか否かを判定するための認証情報の要求を表す認証情報要求を送信するとともに、前記認証情報を受信する無線通信手段と、
前記携帯無線装置により送信された、ある情報を受信した方角である受信方角を取得する受信方角取得手段と、
受信された前記認証情報に基づいて、前記携帯無線装置が前記無線認証装置に対応付けられているか否かを判定する認証処理を実行する認証手段と、
を備え、
前記無線通信手段は、前記携帯無線装置が、ある情報を送信した方角を表す送信方角情報または、自身から前記携帯無線装置への方角である位置方角を取得するための情報を受信し、
前記受信方角取得手段は、前記携帯無線装置から送信された前記送信方角情報または前記位置方角を取得するための情報を受信した方角を前記受信方角として取得し、
前記認証手段は、前記送信方角情報が表す送信方角または前記位置方角と、前記受信方角と、が対応付けられている場合に、前記認証処理を実行する、
無線認証装置。
【０１６７】
（付記１４）
ユーザが携帯する携帯無線装置が自身に対応付けられているか否かを判定する認証処理を実行する認証装置に適用され、
前記携帯無線装置へ、携帯無線装置が自身に対応付けられているか否かを判定するための認証情報の要求を表す認証情報要求を送信するとともに、前記認証情報、並びに、前記携帯無線装置が、ある情報を送信した方角を表す送信方角情報または自身から前記携帯無線装置への方角である位置方角を取得するための情報を受信し、
前記携帯無線装置から送信された前記送信方角情報または前記位置方角を取得するための情報を受信した方角を前記受信方角として取得し、
前記送信方角情報が表す送信方角または前記位置方角と、前記受信方角と、が対応付けられている場合に、受信された前記認証情報に基づいて、前記携帯無線装置が前記無線認証装置に対応付けられているか否かを判定する認証処理を実行する、
認証装置制御方法。
【０１６８】
（付記１５）
ユーザが携帯する携帯無線装置が自身に対応付けられているか否かを判定する認証処理を実行する認証装置を、
前記携帯無線装置へ、前記携帯無線装置が自身に対応付けられているか否かを判定するための認証情報の要求を表す認証情報要求を送信するとともに、前記認証情報を受信する無線通信手段と、
前記携帯無線装置により送信された、ある情報を受信した方角である受信方角を取得する受信方角取得手段と、
受信された前記認証情報に基づいて、前記携帯無線装置が前記無線認証装置に対応付けられているか否かを判定する認証処理を実行する認証手段と、
として機能させるためのプログラムであって、
前記無線通信手段は、前記携帯無線装置が、ある情報を送信した方角を表す送信方角情報または、自身から前記携帯無線装置への方角である位置方角を取得するための情報を受信し、
前記受信方角取得手段は、前記携帯無線装置から送信された前記送信方角情報または前記位置方角を取得するための情報を受信した方角を前記受信方角として取得し、
前記認証手段は、前記送信方角情報が表す送信方角または前記位置方角と、前記受信方角と、が対応付けられている場合に、前記認証処理を実行する、
プログラム。
【０１６９】
（付記１６）
無線認証装置から、自身が前記無線認証装置に対応付けられているか否かを判定するための認証情報の要求を表す認証情報要求を受信する無線通信手段と、
前記無線認証装置により送信された、ある情報を受信した方角である受信方角を取得する受信方角取得手段と、
を備え、
前記無線通信手段は、前記無線認証装置が、ある情報を送信した方角を表す送信方角情報または、自身から前記無線認証装置への方角である位置方角を取得するための情報を受信し、
前記受信方角取得手段は、前記無線認証装置から送信された前記送信方角情報または前記位置方角を取得するための情報を受信した方角を前記受信方角として取得し、
前記無線通信手段は、前記送信方角情報が表す送信方角または前記位置方角と、前記受信方角と、が対応付けられている場合に、前記認証情報を送信する、
携帯無線装置。
【０１７０】
（付記１７）
ユーザが携帯する携帯無線装置に適用され、
無線認証装置から、前記携帯無線装置が前記無線認証装置に対応付けられているか否かを判定するための認証情報の要求を表す認証情報要求を受信するとともに、前記無線認証装置が、ある情報を送信した方角を表す送信方角情報または、前記携帯無線装置から前記無線認証装置への方角である位置方角を取得するための情報を受信し、
前記無線認証装置から送信された前記送信方角情報または前記位置方角を取得するための情報を受信した方角を前記受信方角として取得し、
前記送信方角情報が表す送信方角または前記位置方角と、前記受信方角と、が対応付けられている場合に、前記認証情報を送信する、
携帯無線装置制御方法。
【０１７１】
（付記１８）
ユーザが携帯する携帯無線装置を、
無線認証装置から、前記携帯無線装置が前記無線認証装置に対応付けられているか否かを判定するための認証情報の要求を表す認証情報要求を受信する無線通信手段と、
前記無線認証装置により送信された、ある情報を受信した方角である受信方角を取得する受信方角取得手段と、
として機能させるためのプログラムであって、
前記無線通信手段は、前記無線認証装置が、ある情報を送信した方角を表す送信方角情報または、自身から前記無線認証装置への方角である位置方角を取得するための情報を受信し、
前記受信方角取得手段は、前記無線認証装置から送信された前記送信方角情報または前記位置方角を取得するための情報を受信した方角を前記受信方角として取得し、
前記無線通信手段は、前記送信方角情報が表す送信方角または前記位置方角と、前記受信方角と、が対応付けられている場合に、前記認証情報を送信する、
プログラム。
【０１７２】
なお、上記各実施形態及び付記において記載したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１７３】
以上、上記各実施形態を参照して本願発明を説明したが、本願発明は、上述した実施形態に限定されるものではない。本願発明の構成や詳細には、本願発明の範囲内で当業者が理解しうる様々な変更をすることができる。
【０１７４】
なお、本発明は、日本国にて２０１２年３月２日に特許出願された特願２０１２−０４６６７１の特許出願に基づく優先権主張の利益を享受するものであり、当該特許出願に記載された内容は、全て本明細書に含まれるものとする。
【符号の説明】
【０１７５】
１      情報処理システム
１１    無線認証装置
１２    携帯無線装置
２２    方角取得部
２４    通信部
２５    アンテナ
３３    認証部
４２    通信部
４３    アンテナ
４４    方角取得部
１０１  情報処理システム
１１１  無線認証装置
１１２  携帯無線装置
２０１  情報処理システム
２１１  無線認証装置
２１２  携帯無線装置
２２１  位置情報取得部
２４１  位置情報取得部
３０１  情報処理システム
３１１  無線認証装置
３１２  携帯無線装置
【図１】
2013128821.tif 000003
【図２】
2013128821.tif 000004
【図３】
2013128821.tif 000005
【図４】
2013128821.tif 000006
【図５】
2013128821.tif 000007
【図６】
2013128821.tif 000008
【図７】
2013128821.tif 000009
【図８】
2013128821.tif 000010
【図９】
2013128821.tif 000011
【図１０】
2013128821.tif 000012
【図１１】
2013128821.tif 000013
【図１２】
2013128821.tif 000014
【図１３】
2013128821.tif 000015
【図１４】
2013128821.tif 000016
【図１５】
2013128821.tif 000017
【図１６】
2013128821.tif 000018
【図１７】
2013128821.tif 000019
【図１８】
2013128821.tif 000020
【図１９】
2013128821.tif 000021
【図２０】
2013128821.tif 000022
【図２１】
2013128821.tif 000023
【図２２】
2013128821.tif 000024
【図２３】
2013128821.tif 000025
【国際調査報告】
2013128821.tif 000026
2013128821.tif 000027
2013128821.tif 000028
2013128821.tif 000029